(57)【要約】      （修正有）【課題】上下方向からの衝撃で割れ易いクッキーなどの焼き菓子等を詰め込んでも割れ難い、菓子用箱体の紙製仕切り板を提供する。【解決手段】仕切り板Ａの平面視上下方向に一定間隔をあけて相対向する折り目ア、ウを設け、相対向する折り目ア、ウに挟まれた個所を菓子を載置する載置板とする。この載置板の平面視上下方向に一定間隔で菓子Ｃの係止片３ａを複数立設し、載置板上に相対向する折り目ア、ウから略Ｕ字型の第１切り込みを複数設ける。折り目ア、ウによって仕切り板Ａの両端を谷折りに折り上げた際、切り込みによって形成される舌片２ｆが下方に突出して仕切り板Ａを支持する可撓性を有する脚部を複数設ける。【選択図】図１
0003157882.tif 000002
【実用新案登録請求の範囲】
【請求項１】
中に嵌め入れてその上に菓子を係止する箱体の紙製仕切り板において、
前記仕切り板の平面視上下方向に一定間隔をあけて相対向する折り目を設け、当該相対向する折り目に挟まれた個所を菓子を載置する載置板とし、この載置板の平面視上下方向に一定間隔で菓子の係止片を複数立設し、前記載置板上に前記相対向する折り目から略Ｕ字型の第１切り込みを複数設け、当該折り目によって当該仕切り板の両端を谷折りに折り上げた際、前記切り込みによって形成される舌片が下方に突出して当該仕切り板を支持する可撓性を有する脚部を複数設けたことを特徴とする、菓子用箱体の紙製仕切り板。
【請求項２】
中に嵌め入れてその上に菓子を係止する箱体の紙製仕切り板において、
前記仕切り板上を菓子を載置する載置板とし、当該載置板の平面視上下方向に略山型の第２切り込みを間隔をあけて複数設け、当該第２切り込みの両端を結ぶ線から前記第２切り込みとは反対の方向に略Ｕ字型の第３切り込みを夫々設け、
前記各第２切り込みによって形成される折り込み片を谷折りに折り上げて個々の菓子の係止板を夫々設け、前記各折り込み片を谷折りに折り上げることにより前記第３切り込みによって形成される複数の舌片を下方に夫々突出させ、当該各舌片によって前記仕切り板を支持する可撓性を有する脚部を複数設けたことを特徴とする、菓子用箱体の紙製仕切り板。
【請求項３】
中に嵌め入れてその上に菓子を係止する箱体の紙製仕切り板において、
前記仕切り板は四角形状の板体からなり、当該仕切り板の平面視左右方向の外端縁に沿って一定幅の第１折り目を夫々設け、当該各第１折り目に挟まれた個所を菓子を載置する載置板とし、当該載置板上に当該各第１折り目から略Ｕ字型の第１切り込みを複数設け、
当該載置板上に平面視上下方向に略山型の第２切り込みを間隔をあけて複数設け、各第２切り込みの両端を結ぶ線から当該第２切り込みとは反対の方向に略Ｕ字型の第３切り込みを夫々設け、
前記第１折り目によって仕切り板の両端を谷折りに折り上げて第１切り込みによって形成される舌片を下方に夫々突出させ、前記各第２切り込みによって形成される折り込み片を谷折りに折り上げて個々の菓子の係止板を設け、当該各折り込み片を谷折りに折り上げることにより前記第３切り込みによって形成される舌片を下方に夫々突出させ、前記第１切り込みによって形成される各舌片及び当該第３切り込みによって形成される各舌片によって前記仕切り板を支持する可撓性を有する脚部を複数設けたことを特徴とする、個別包装した菓子用箱体の紙製仕切り板。
【請求項４】
中に嵌め入れてその上に菓子を係止する箱体の紙製仕切り板において、
前記仕切り板は四角形状の板体からなり、当該仕切り板の平面視左右方向の外端縁に沿って一定幅の第１折り目を夫々設け、当該仕切り板を略等分する第２折り目を設け、当該第２折り目の両側であって当該第２折り目に沿って第３折り目を夫々設け、前記各第１折り目と前記各第３折り目に挟まれた個所及び隣接する二つの第３折り目に挟まれた個所を菓子を載置する載置板とし、各載置板上に各第１折り目及び第３折り目から略Ｕ字型の第１切り込みを複数夫々設け、
当該各載置板上に平面視上下方向に略山型の第２切り込みを間隔をあけて複数設け、各第２切り込みの両端を結ぶ線から当該第２切り込みとは反対の方向に略Ｕ字型の第３切り込みを夫々設け、
前記各第１折り目によって仕切り板の両端を谷折りに折り上げて第１切り込みによって形成される舌片を下方に夫々突出させ、前記第２折り目を山折りに折り込み、前記第３折り目を谷折りに折り上げて第２折り目を頂点とする仕切り片を設け、この仕切り片を形成する第３折り目の谷折りによる第１切り込みによって形成される舌片を下方に夫々突出させ、前記各第２切り込みによって形成される折り込み片を谷折りに折り上げて個々の菓子の係止板を夫々設け、当該各折り込み片を谷折りに折り上げることにより前記第３切り込みによって形成される舌片を下方に夫々突出させ、前記第１切り込みによって形成される各舌片及び当該第３切り込みによって形成される各舌片によって前記仕切り板を支持する可撓性を有する脚部を複数設けたことを特徴とする、菓子用箱体の紙製仕切り板。
【請求項５】
前記各第１折り目又は第１折り目と第３折り目は上端縁から一定長を切り込みとし、当該各切り込みによって形成される板体上に当該２本の切り込みの途中を結ぶ折り目を設け、当該板体の端部を前記折り目によって折り込み、当該板体を各切り込みの両先端を結ぶ線で折り上げて当該板体の上部に平面視上側から下側にかけて低くなる傾斜を設けたことを特徴とする、前記請求項３又は４に記載の菓子用箱体の紙製仕切り板。
【考案の詳細な説明】
【技術分野】
【０００１】
この考案は、洋菓子店等において、生菓子ではない菓子を詰めて販売する箱体、特に、個別包装されたクッキー等の焼き菓子を詰めて販売する箱体の中に嵌め入れて、クッキー等が徒に移動するのを防ぎ、また、箱体が外部から衝撃を受けた際、その衝撃を和らげる紙製の仕切り板に関するものである。
【背景技術】
【０００２】
従来、洋菓子店においては、ケーキ等の生菓子の他、クッキー等の焼き菓子も店頭において販売されている。この様な焼き菓子は長期に渡って保存が出来、個別包装されて紙箱の中に詰められて陳列、販売されていることが多い。その一方で、この様な焼き菓子は、概して薄く扁平で、外部から、特に上下方向から衝撃を受けると割れやすいと言う面を有する。
【０００３】
この様な焼き菓子を箱の中に詰める際に使用する仕切り板（トレー）としては特許文献１に記載するものがある。このトレーは、紙製で見栄えが良く、簡単に組み立てられる。
【特許文献１】実用新案登録第３１５１４９４号公報
【考案の開示】
【考案が解決しようとする課題】
【０００４】
しかしながら、この様なトレーでは、上下方向からの衝撃に対して、特に当該衝撃をやわらげる手段を講じたものでは無く、上下方向からのちょっとした衝撃で、商品である焼き菓子が割れてしまう可能性が残る。箱の中に詰められた後、商品が割れると、店頭に陳列された状態では顧客の購買意欲を減衰させ、また、購入後に箱の蓋を開けた際、クッキー等が割れていると興覚めであり落胆する。
【０００５】
この考案は、この様な状況に鑑みて行われたもので、上下方向からの衝撃で割れ易いクッキーなどの焼き菓子等を詰め込んでも割れ難い、菓子用箱体の紙製仕切り板を提供して前記課題を解決するものである。
【課題を解決するための手段】
【０００６】
請求項１の考案は、中に嵌め入れてその上に菓子を係止する箱体の紙製仕切り板において、前記仕切り板の平面視上下方向に一定間隔をあけて相対向する折り目を設け、当該相対向する折り目に挟まれた個所を菓子を載置する載置板とし、この載置板の平面視上下方向に一定間隔で菓子の係止片を複数立設し、前記載置板上に前記相対向する折り目から略Ｕ字型の第１切り込みを複数設け、当該折り目によって当該仕切り板の両端を谷折りに折り上げた際、前記切り込みによって形成される舌片が下方に突出して当該仕切り板を支持する可撓性を有する脚部を複数設けた菓子用箱体の紙製仕切り板とした。
【０００７】
請求項２の考案は、中に嵌め入れてその上に菓子を係止する箱体の紙製仕切り板において、前記仕切り板上を菓子を載置する載置板とし、当該載置板の平面視上下方向に略山型の第２切り込みを間隔をあけて複数設け、当該第２切り込みの両端を結ぶ線から前記第２切り込みとは反対の方向に略Ｕ字型の第３切り込みを夫々設け、前記各第２切り込みによって形成される折り込み片を谷折りに折り上げて個々の菓子の係止板を夫々設け、前記各折り込み片を谷折りに折り上げることにより前記第３切り込みによって形成される複数の舌片を下方に夫々突出させ、当該各舌片によって前記仕切り板を支持する可撓性を有する脚部を複数設けた菓子用箱体の紙製仕切り板とした。
【０００８】
請求項３の考案は、中に嵌め入れてその上に菓子を係止する箱体の紙製仕切り板において、前記仕切り板は四角形状の板体からなり、当該仕切り板の平面視左右方向の外端縁に沿って一定幅の第１折り目を夫々設け、当該各第１折り目に挟まれた個所を菓子を載置する載置板とし、当該載置板上に当該各第１折り目から略Ｕ字型の第１切り込みを複数設け、当該載置板上に平面視上下方向に略山型の第２切り込みを間隔をあけて複数設け、各第２切り込みの両端を結ぶ線から当該第２切り込みとは反対の方向に略Ｕ字型の第３切り込みを夫々設け、前記第１折り目によって仕切り板の両端を谷折りに折り上げて第１切り込みによって形成される舌片を下方に夫々突出させ、前記各第２切り込みによって形成される折り込み片を谷折りに折り上げて個々の菓子の係止板を設け、当該各折り込み片を谷折りに折り上げることにより前記第３切り込みによって形成される舌片を下方に夫々突出させ、前記第１切り込みによって形成される各舌片及び当該第３切り込みによって形成される各舌片によって前記仕切り板を支持する可撓性を有する脚部を複数設けた個別包装した菓子用箱体の紙製仕切り板とした。
【０００９】
請求項４の考案は、中に嵌め入れてその上に菓子を係止する箱体の紙製仕切り板において、前記仕切り板は四角形状の板体からなり、当該仕切り板の平面視左右方向の外端縁に沿って一定幅の第１折り目を夫々設け、当該仕切り板を略等分する第２折り目を設け、当該第２折り目の両側であって当該第２折り目に沿って第３折り目を夫々設け、前記各第１折り目と前記各第３折り目に挟まれた個所及び隣接する二つの第３折り目に挟まれた個所を菓子を載置する載置板とし、各載置板上に各第１折り目及び第３折り目から略Ｕ字型の第１切り込みを複数夫々設け、当該各載置板上に平面視上下方向に略山型の第２切り込みを間隔をあけて複数設け、各第２切り込みの両端を結ぶ線から当該第２切り込みとは反対の方向に略Ｕ字型の第３切り込みを夫々設け、前記各第１折り目によって仕切り板の両端を谷折りに折り上げて第１切り込みによって形成される舌片を下方に夫々突出させ、前記第２折り目を山折りに折り込み、前記第３折り目を谷折りに折り上げて第２折り目を頂点とする仕切り片を設け、この仕切り片を形成する第３折り目の谷折りによる第１切り込みによって形成される舌片を下方に夫々突出させ、前記各第２切り込みによって形成される折り込み片を谷折りに折り上げて個々の菓子の係止板を夫々設け、当該各折り込み片を谷折りに折り上げることにより前記第３切り込みによって形成される舌片を下方に夫々突出させ、前記第１切り込みによって形成される各舌片及び当該第３切り込みによって形成される各舌片によって前記仕切り板を支持する可撓性を有する脚部を複数設けた菓子用箱体の紙製仕切り板とした。
【００１０】
請求項５の考案は、前記各第１折り目又は第１折り目と第３折り目は上端縁から一定長を切り込みとし、当該各切り込みによって形成される板体上に当該２本の切り込みの途中を結ぶ折り目を設け、当該板体の端部を前記折り目によって折り込み、当該板体を各切り込みの両先端を結ぶ線で折り上げて当該板体の上部に平面視上側から下側にかけて低くなる傾斜を設けた前記請求項３又は４に記載の菓子用箱体の紙製仕切り板とした。
【考案の効果】
【００１１】
請求項１及び２の各考案によれば、切り込みによって形成された舌片によって、当該仕切り板を可撓性を有する脚部で支持したので、箱体に上下方向から衝撃を受けても前記脚部によって当該衝撃を吸収して緩和出来、当該仕切り板に詰めた菓子に衝撃が伝わり難くい。すなわち、箱体の下部に、上下方向からの衝撃を吸収するクッションスペースを設けたので、仕切り板に詰めた菓子がクッキー等の焼き菓子であっても割れ難いものである。
【００１２】
請求項３の考案によれば、第１切り込みによって形成される各舌片及び第３切り込みによって形成される各舌片によって可撓性を有する脚部を複数設けて仕切り板を支持するので、より確実かつ充分に衝撃を吸収して緩和出来、当該仕切り板に詰めた菓子に衝撃が伝わり難くいものである。また、第２切り込みによって菓子の係止板を設けているので、菓子が徒に動かない。
【００１３】
請求項４の発明によれば、四角形状の板体を第２折り目で等分し、等分した夫々に、第１切り込みによって形成される各舌片及び第３切り込みによって形成される各舌片によって可撓性を有する脚部を複数設けて仕切り板を支持するので、より確実かつ充分に衝撃を吸収して緩和出来、当該仕切り板に詰めた菓子に衝撃が伝わり難くいものである。
【００１４】
請求項５の発明によれば、前記各第１折り目又は第１折り目と第３折り目は上端縁から一定長を切り込みとし、当該各切り込みによって形成される板体上に当該２本の切り込みの途中を結ぶ折り目を設け、当該板体の端部を前記折り目によって折り込み、当該板体を各切り込みの両先端を結ぶ線で折り上げて当該板体の上部に平面視上側から下側にかけて低くなる傾斜を設けたので、前記各舌片に加えて、前記傾斜部分でも、上下方向からの衝撃を吸収することが出来、当該仕切り板に詰めた菓子に衝撃が伝わり難くいものである。
【考案を実施するための最良の形態】
【００１５】
底面に嵌め入れてその上に菓子を係止する箱体の紙製仕切り板において、前記仕切り板の平面視上下方向に一定間隔をあけて相対向する折り目を設け、当該相対向する折り目に挟まれた個所を菓子を載置する載置板とし、この載置板の平面視上下方向に一定間隔で菓子の係止片を複数立設し、前記載置板上に前記相対向する折り目から略Ｕ字型の第１切り込みを複数設け、当該折り目によって当該仕切り板の両端を谷折りに折り上げた際、前記切り込みによって形成される舌片が下方に突出して当該仕切り板を支持する可撓性を有する脚部を複数設けた。
【００１６】
これにより、切り込みによって形成された舌片によって、当該仕切り板を可撓性を有する脚部で支持したので、箱体に上下方向から衝撃を受けても前記脚部によって当該衝撃を吸収して緩和出来、当該仕切り板に詰めた菓子に衝撃が伝わり難く、仕切り板に詰めた菓子がクッキー等の焼き菓子であっても割れ難いものである。
【実施例１】
【００１７】
以下、この考案の実施例１を図に基づいて説明する。
図１は、この考案の実施例１の紙製仕切り板を菓子用箱体の中に嵌め入れ、その上に個別包装した菓子を係止した状態の一部縦断面図である。図２は、この考案の実施例１の菓子用箱体の紙製仕切り板の展開図である。図３は、この考案の実施例１の菓子用箱体の紙製仕切り板を各折り目により折り込んだ状態の斜視図である。図４は、この考案の実施例１の紙製仕切り板を菓子用箱体の中に嵌め入れた状態の斜視図である。図５は、この考案の実施例１の紙製仕切り板を菓子用箱体の中に嵌め入れ、その上に個別包装した菓子を係止した状態の斜視図である。
【００１８】
この実施例１の菓子用箱体の紙製仕切り板Ａ（以下、単に「仕切り板Ａ」と言う）は、図２に示すように、横長の長方形状の紙製板体１に折り目及び切り込みを設けて成る。具体的に述べると、この紙製板体１の左右の外端縁に沿って一定幅の第１折り目アを夫々設け、これらの折り目アの内側の紙製板体１を上下方向の３本の第２折り目イによって略４等分する。また、これらの各第２折り目イの両側の一定長離れた個所に、当該第２折り目イに沿って第３折り目ウを夫々設ける。
【００１９】
前記各第１折り目アと前記各第３折り目ウに挟まれた区画及び隣接する各第３折り目ウに挟まれた区画を夫々菓子を載置する載置板２とし、これらの各載置板２の上端及び下端は、延長されて横長の長方形状からなる短片２ａ、２ｂを前記紙製板体１の端縁から夫々突出させている。また、前記各載置板２上に各第１折り目アと第３折り目ウ及び隣接する各第３折り目から夫々相対向して略Ｕ字型の第１切り込み２ｃを複数間隔をあけて設けている。さらに、これらの各載置板２上に平面視上下方向に略山型の第２切り込み３を間隔をあけて３個ずつ設け、但し、図３、４及び５では夫々４個と成っている。また、各第２切り込み３の両端を結ぶ線から当該第２切り込み３とは反対の方向に略Ｕ字型の第３切り込み４を夫々設けている。
【００２０】
前記第１折り目アと第３折り目ウは、上端縁から、前記第２切り込み３の中の一番上に位置する第２切り込み３のおよそ頂上部までを切り込みとし、当該各切り込みによって形成される板体２ｄ上に当該２本の切り込みの途中を結ぶ折り目エを設け、また、各切り込みの両先端を結ぶ線に折り目オを設けている。また、下側の各短片２ｂは折り目カを介して突出しており、この折り目カから前記第１切り込み２ｃと同形状の切り込み２ｅを設けている。
【００２１】
次に、この様な仕切り板Ａを組み立てる。図３に示すように、前記各第１折り目アによって仕切り板Ａの左右の両端を谷折りに折り上げて第１切り込み２ｃによって形成される複数の舌片２ｆを下方に夫々突出させる。前記各第２折り目イを山折りに折り込み、前記第３折り目ウを谷折りに折り上げて第１切り込み２ｃによって形成される複数の舌片２ｆを下方に夫々突出させる。これにより各第２折り目イを頂部として各列の仕切り片５が形成され、各載置板２はこれらの仕切り片５によって仕切られる。また、各舌片２ｆが仕切り板Ａを支持する可撓性を有する脚部を形成する。
【００２２】
また、各載置板２上の前記第２切り込み３によって形成される折り込み片を谷折りに折り上げて個々の菓子の係止板３ａを夫々設け、当該各折り込み片を谷折りに折り上げることにより前記第３切り込み４によって形成される各舌片４ａを下方に夫々突出させる。前記第１切り込み２ｃによって形成される各舌片２ｆ及び当該第３切り込み４によって形成される各舌片４ａによって前記仕切り板Ａを支持する可撓性を有した脚部を複数設ける。
【００２３】
また、前記板体２ｄの上端部を前記折り目エによって山折りに折り込み、当該板体２ｄを各切り込みの両先端を折り目オで谷折りに折り上げて当該板体２ｄを上側から下側にかけて低くなる傾斜を設ける。さらに、下側の各短片２ｂを折り目カにより谷折りに夫々折り込んで切り込み２ｅよって形成される舌片２ｇを下方に夫々突出させ、この切り込み２ｅによって形成される舌片２ｇによっても脚部を設けて仕切り板Ａを支持する。
【００２４】
この様に組み立てた仕切り板Ａを、図４に示すように、扁平な紙製の菓子用箱体Ｂの中に嵌め入れ、各脚部によって当該仕切り板Ａを支持する。その際、第１折り目アにより谷折りに折り上げられた左右の両端片は菓子用箱体Ｂの左右の内壁に夫々重合し、また、各載置板２の短片２ｂは菓子用箱体Ｂの下方の内壁に重合し、仕切り板Ａは、菓子用箱体Ｂの底面に対し、各舌片２ｆ、２ｇ、４ａからなる脚部の下端のみが接触した状態となる。
そして、図５に示すように、個々の係止板３ａに個別包装したクッキー等の菓子Ｃを載置し、係止する。
【００２５】
図１に示すように、切り込み２ｃによって形成された舌片２ｆ、切り込み２ｅによって形成された舌片２g及び切り込み４によって形成された舌片４ａによって、可撓性を有する脚部で仕切り板Ａを支持したので、菓子用箱体Ｂに上下方向から衝撃を受けても前記脚部によって当該衝撃を吸収して緩和出来、当該仕切り板Ａに詰めた菓子Ｃに衝撃が伝わり難くい。すなわち、菓子用箱体Ｂの下部に、前記上下方向からの衝撃を吸収するクッションスペースを設けたので、仕切り板Ａに詰めた菓子がクッキー等の焼き菓子Ｃであっても割れ難いものである。また、各菓子Ｃは、菓子用箱体Ｂの四辺壁及び各折り目イ、ウを折り込んで形成される仕切り片５によって横方向、また各列においては各係止板３によって支持され、これらの仕切り片５及び仕切り板３によっても衝撃を吸収する。
【００２６】
前記実施例１では、この仕切り板Ａに詰める菓子として個別包装したクッキー等の焼き菓子Ｃを用いているが、この仕切り板に詰めるのは個別包装したクッキー等の焼き菓子Ｃに限るものではなく、この仕切り板Ａに係止出来る菓子なら何でも良い。
【００２７】
また、第１切り込み２ｃ、第２切り込み３、第３切り込み４を設けた載置板２を左右方向に４個並べて設けているが、載置板２を設ける数量は必要な数量を設ければ良く、もちろん１個でも良い。載置板２が１個の場合、第２折り目イや第３折り目ウは必要無く、左右の外端縁の第１折り目アのみとなる。さらに、各載置板２の上端及び下端に短片２ａ、２ｂを夫々突出して設けたり、板体２ｄ上を傾斜させたり、切り込み２ｅによって舌片２ｇを形成しているが、これらは無くても良い。
【図面の簡単な説明】
【００２８】
【図１】この考案の実施例１の紙製仕切り板を菓子用箱体の中に嵌め入れ、その上に個別包装した菓子を係止した状態の一部縦断面図である。
【図２】この考案の実施例１の菓子用箱体の紙製仕切り板の展開図である。
【図３】この考案の実施例１の菓子用箱体の紙製仕切り板を各折り目により折り込んだ状態の斜視図である。
【図４】この考案の実施例１の紙製仕切り板を菓子用箱体の中に嵌め入れた状態の斜視図である。
【図５】この考案の実施例１の紙製仕切り板を菓子用箱体の中に嵌め入れ、その上に個別包装した菓子を係止した状態の斜視図である。
【符号の説明】
【００２９】
Ａ    仕切り板            Ｂ    菓子用箱体        Ｃ    菓子
１    紙製板体            ２    載置板            ２ａ  短片
２ｂ  短片                ２ｃ  第１切り込み      ２ｄ  板体
２ｅ  切り込み            ２ｆ  舌片              ２ｇ  舌片
３    第２切り込み        ３ａ  係止板            ４    第３切り込み
４ａ  舌片                ５    仕切り片
ア    第１折り目          イ    第２折り目        ウ    第３折り目
エ    折り目              オ    折り目            カ    折り目
【図１】
0003157882.tif 000003
【図２】
0003157882.tif 000004
【図３】
0003157882.tif 000005
【図４】
0003157882.tif 000006
【図５】
0003157882.tif 000007